(57)【要約】    【課題】    回転リール内の電気的表示手段の表示領域を十分に確保できるようにする。    【解決手段】  遊技情報が表示されたリール部２６ａ，２６ｂを有し且つその軸心方向に所定の間隔を置いて配置された一対の回転リール２７ａ，２７ｂと、各回転リール２７ａ，２７ｂの軸心方向の外側に配置され且つ各回転リール２７ａ，２７ｂをその軸心廻りに回転駆動する一対の駆動モータ２８ａ，２８ｂと、回転リール２７ａ，２７ｂ間でそのリール部２６ａ，２６ｂ内の前後方向の略中央に配置され且つ遊技情報を変動表示可能な液晶表示手段２９と、各リール部２６ａ，２６ｂ及び液晶表示手段２９に対応する表示窓３３を有する前カバー３４と、前カバー３４内に配置され且つ液晶表示手段２９の前側で各回転リール２７ａ，２７ｂのホーク部３５を軸心方向の内側から覆う前側板５９とを備える。【選択図】      図４
2005323663.tif 000002
【特許請求の範囲】
【請求項１】
遊技情報が表示されたリール部（２６ａ）（２６ｂ）を有する回転リール（２７ａ）（２７ｂ）と、該回転リール（２７ａ）（２７ｂ）を回転駆動する駆動手段（２８ａ）（２８ｂ）と、前記回転リール（２７ａ）（２７ｂ）の前記リール部（２６ａ）（２６ｂ）内に配置され且つ遊技情報を変動表示可能な電気的表示手段（２９）とを備えた遊技機において、前記回転リール（２７ａ）（２７ｂ）に対して前記電気的表示手段（２９）と反対側に前記駆動手段（２８ａ）（２８ｂ）を設け、前記電気的表示手段（２９）を前記リール部（２６ａ）（２６ｂ）の前後方向の略中央部に配置し、前記電気的表示手段（２９）の前側で該電気的表示手段（２９）に対応する表示窓（３３）の側部に、前記回転リール（２７ａ）（２７ｂ）の前記リール部（２６ａ）（２６ｂ）を支持する支持部（３５）を内側から覆う前側板（５９）を設けたことを特徴とする遊技機。
【請求項２】
前記電気的表示手段（２９）に対して前記回転リール（２７ａ）（２７ｂ）の回転方向の両側に、前記リール部（２６ａ）（２６ｂ）を内側から照明する照明手段（６０ａ）（６０ｂ）を設けたことを特徴とする請求項１に記載の遊技機。
【請求項３】
前記電気的表示手段（２９）の外周部に対応する矩形状の前枠体（３２）を設け、該前枠体（３２）の前記回転リール（２７ａ）（２７ｂ）に対応する枠部（３２ｂ）に前記前側板（５９）を、前記回転リール（２７ａ）（２７ｂ）の回転方向の両側の枠部（３２ｃ）に前記照明手段（６０ａ）（６０ｂ）を夫々設けたことを特徴とする請求項２に記載の遊技機。
【請求項４】
前記電気的表示手段（２９）の左右両側に前記回転リール（２７ａ）（２７ｂ）を配置し、該各回転リール（２７ａ）（２７ｂ）の前記リール部（２６ａ）（２６ｂ）の周方向の少なくとも一部に、前記電気的表示手段（２９）の上下方向の表示幅と略同じ大きさを有し且つ前記電気的表示手段（２９）の遊技情報を視認可能な視認部（４１ａ）（４１ｂ）を備えたことを特徴とする請求項１〜３の何れかに記載の遊技機。
【請求項５】
前面側の開口部（３０）内に前記各回転リール（２７ａ）（２７ｂ）及び前記電気的表示手段（２９）が配置された支持ケース（３１）を備え、該支持ケース（３１）の前記両回転リール（２７ａ）（２７ｂ）間の中央部に前記電気的表示手段（２９）を取り付ける取り付け部（２９ａ）を設けたことを特徴とする請求項４に記載の遊技機。
【請求項６】
前記支持ケース（３１）はケース本体（５１）と、該ケース本体（５１）に軸心方向の両側から着脱自在に装着された一対の側壁部（５２）とを備え、該各側壁部（５２）の軸心方向の外側に凹入する凹部（５２ａ）内に、軸心方向の内側に突出する回転軸（５６）を備えた偏平な前記駆動手段（２８ａ）（２８ｂ）を設けたことを特徴とする請求項５に記載の遊技機。
【請求項７】
遊技情報が表示されたリール部（２６ａ）（２６ｂ）を有し且つその軸心方向に所定の間隔を置いて配置された一対の回転リール（２７ａ）（２７ｂ）と、該各回転リール（２７ａ）（２７ｂ）の軸心方向の外側に配置され且つ該各回転リール（２７ａ）（２７ｂ）をその軸心廻りに回転駆動する一対の駆動モータ（２８ａ）（２８ｂ）と、前記両回転リール（２７ａ）（２７ｂ）間でその前記リール部（２６ａ）（２６ｂ）内の前後方向の略中央に配置され且つ遊技情報を変動表示可能な液晶表示手段（２９）と、前面側の開口部（３０）内に前記各回転リール（２７ａ）（２７ｂ）、前記液晶表示手段（２９）が配置され且つ前記各回転リール（２７ａ）（２７ｂ）、前記各駆動モータ（２８ａ）（２８ｂ）及び前記液晶表示手段（２９）を支持する支持ケース（３１）と、前記各リール部（２６ａ）（２６ｂ）及び前記液晶表示手段（２９）に対応する表示窓（３３）を有する前カバー（３４）と、前記前カバー（３４）内に配置され且つ前記液晶表示手段（２９）の前側で前記各回転リール（２７ａ）（２７ｂ）のホーク部（３５）を軸心方向の内側から覆う前側板（５９）とを備えたことを特徴とする遊技機。
【発明の詳細な説明】
【技術分野】
【０００１】
本発明は、パチンコ機、アレンジボール機、雀球遊技機、回胴式遊技機等の遊技機、取り分けその遊技情報を表示する表示装置の改良に関するものである。
【背景技術】
【０００２】
パチンコ機等の弾球遊技機には、遊技盤の略中央部に、横軸廻りに回転する左右一対の回転リールと、この両回転リールの内部に配置され且つ遊技情報を変動表示可能な液晶表示手段とを備えた遊技情報表示装置を設け、その液晶表示手段及び回転リールにより、特別図柄等の遊技情報及びこれに関連する各種の演出情報を表示するようにしたものがある（特許文献１）。
【０００３】
従来の液晶表示手段は、左右の回転リール間に上下方向に３コマの遊技情報表示部を、その左右両側に上下中央に１コマの遊技情報表示部を夫々備えている。そして、各回転リールは、リール部と、液晶表示手段の左右方向の外側でリール部を支持するホーク部とを備え、ホーク部がその内側に設けられた液晶表示手段の取り付け用のブラケットに固定された駆動モータの回転軸に固定されている。リール部には各コマに対応する複数種類の遊技情報が周方向に所定間隔をおいて複数表示されると共に、その周方向の一部に少なくとも１コマ分の視認部が設けられ、この視認部を通して内部の遊技情報表示部に表示された遊技情報を前側から視認できるようになっている。
【特許文献１】特開２００２−３５２８１号公報の図８及び図９
【発明の開示】
【発明が解決しようとする課題】
【０００４】
従来の遊技情報表示装置は、左右の回転リール間に配置されたブラケットに液晶表示手段を取り付ける一方、各回転リールの内側に配置された駆動モータをそのブラケットに取り付け、この駆動モータよりも前側に液晶表示手段を配置している。このため液晶表示手段を回転リールのリール部内の前部側に配置する必要があり、中央の遊技情報表示部が上下方向に３コマ分あるのに対して、各回転リールのリール部と重なる左右の遊技情報表示部は上下方向の中央の１コマ分のみとなっている。
【０００５】
このため液晶表示手段と左右一対の回転リールとを組み合わせて遊技情報を表示する表示形態を採用しているにも拘わらず、液晶表示手段の左右両側では１コマ分の遊技情報の表示が限度であり、液晶表示手段の特徴を十分に活用した遊技情報の表示を行い難いという欠点があった。
【０００６】
また従来は液晶表示手段の左右両側に、各回転リールのリール部を支持するホーク部を近接させて配置しており、液晶表示手段の前側にホーク部を内側から覆うものがないため、回転リールの回転中、又は視認部が遊技情報表示部に対応して回転リールが停止した場合等には、ホーク部が僅かとはいえ前側から見えるという問題があった。
【０００７】
本発明は、このような従来の課題に鑑み、回転リール内の電気的表示手段の表示領域を十分に確保でき、また回転リールのリール部を支持する支持部等の露出を防止できる遊技機を提供することを目的とする。
【課題を解決するための手段】
【０００８】
本発明は、遊技情報が表示されたリール部２６ａ，２６ｂを有する回転リール２７ａ，２７ｂと、該回転リール２７ａ，２７ｂを回転駆動する駆動手段２８ａ，２８ｂと、前記回転リール２７ａ，２７ｂの前記リール部２６ａ，２６ｂ内に配置され且つ遊技情報を変動表示可能な電気的表示手段２９とを備えた遊技機において、前記回転リール２７ａ，２７ｂに対して前記電気的表示手段２９と反対側に前記駆動手段２８ａ，２８ｂを設け、前記電気的表示手段２９を前記リール部２６ａ，２６ｂの前後方向の略中央部に配置し、前記電気的表示手段２９の前側で該電気的表示手段２９に対応する表示窓３３の側部に、前記回転リール２７ａ，２７ｂの前記リール部２６ａ，２６ｂを支持する支持部３５を内側から覆う前側板５９を設けたものである。
【０００９】
前記電気的表示手段２９に対して前記回転リール２７ａ，２７ｂの回転方向の両側に、前記リール部２６ａ，２６ｂを内側から照明する照明手段６０ａ，６０ｂを設けても良い。前記電気的表示手段２９の外周部に対応する矩形状の前枠体３２を設け、該前枠体３２の前記回転リール２７ａ，２７ｂに対応する枠部３２ｂに前記前側板５９を、前記回転リール２７ａ，２７ｂの回転方向の両側の枠部３２ｃに前記照明手段６０ａ，６０ｂを夫々設けても良い。
【００１０】
前記電気的表示手段２９の左右両側に前記回転リール２７ａ，２７ｂを配置し、該各回転リール２７ａ，２７ｂの前記リール部２６ａ，２６ｂの周方向の少なくとも一部に、前記電気的表示手段２９の上下方向の表示幅と略同じ大きさを有し且つ前記電気的表示手段２９の遊技情報を視認可能な視認部４１ａ，４１ｂを備えても良い。前面側の開口部３０内に前記各回転リール２７ａ，２７ｂ及び前記電気的表示手段２９が配置された支持ケース３１を備え、該支持ケース３１の前記両回転リール２７ａ，２７ｂ間の中央部に前記電気的表示手段２９を取り付ける取り付け部２９ａを設けても良い。
【００１１】
前記支持ケース３１はケース本体５１と、該ケース本体５１に軸心方向の両側から着脱自在に装着された一対の側壁部５２とを備え、該各側壁部５２の軸心方向の外側に凹入する凹部５２ａ内に、軸心方向の内側に突出する回転軸５６を備えた偏平な前記駆動手段２８ａ，２８ｂを設けても良い。
【００１２】
遊技情報が表示されたリール部２６ａ，２６ｂを有し且つその軸心方向に所定の間隔を置いて配置された一対の回転リール２７ａ，２７ｂと、該各回転リール２７ａ，２７ｂの軸心方向の外側に配置され且つ該各回転リール２７ａ，２７ｂをその軸心廻りに回転駆動する一対の駆動モータ２８ａ，２８ｂと、前記両回転リール２７ａ，２７ｂ間でその前記リール部２６ａ，２６ｂ内の前後方向の略中央に配置され且つ遊技情報を変動表示可能な液晶表示手段２９と、前面側の開口部３０内に前記各回転リール２７ａ，２７ｂ、前記液晶表示手段２９が配置され且つ前記各回転リール２７ａ，２７ｂ、前記各駆動モータ２８ａ，２８ｂ及び前記液晶表示手段２９を支持する支持ケース３１と、前記各リール部２６ａ，２６ｂ及び前記液晶表示手段２９に対応する表示窓３３を有する前カバー３４と、前記前カバー３４内に配置され且つ前記液晶表示手段２９の前側で前記各回転リール２７ａ，２７ｂのホーク部３５を軸心方向の内側から覆う前側板５９とを備えても良い。
【発明の効果】
【００１３】
本発明では、回転リール２７ａ，２７ｂ内の電気的表示手段２９の表示領域を十分に確保でき、また回転リール２７ａ，２７ｂのリール部２６ａ，２６ｂを支持する支持部３５等の露出を防止できる。
【発明を実施するための最良の形態】
【００１４】
以下、本発明の各実施例を図面に基づいて詳述する。図１〜図１３は本発明をパチンコ機に採用した場合の第１の実施例を示す。
【００１５】
図１において、１は遊技機本体で、開閉自在に枢着された前枠２を有する。前枠２には、遊技盤３が裏側から着脱自在に装着され、この遊技盤３の前側にガラス扉４と前面板５とが開閉自在に配置されている。前面板５には発射用の遊技球を貯留する上皿６が設けられ、また前枠２の下部には、余剰球を貯留する下皿７と、発射手段８の発射ハンドル９とが夫々設けられている。
【００１６】
遊技盤３には、図２に示すようにガイドレール１０が環状に装着されると共に、このガイドレール１０の内側の遊技領域１１に特別図柄表示手段１２、普通図柄表示手段１３、特別図柄始動手段１４、普通図柄始動手段１５、可変入賞手段１６、普通入賞手段１７〜１９等の遊技部品が配置されている。
【００１７】
特別図柄表示手段１２は、図３に示すように左右方向に複数、例えば３個の特別図柄（主遊技情報）２３ａ〜２３ｃと、これに関連する背景である演出画像（演出遊技情報）２４と、左右の特別図柄２３ａ，２３ｂに代替する演出画像（遊技情報）２５ａ，２５ｂとを表示するためのものである。そして，この特別図柄表示手段１２には、表示ケース２１に形成された開口窓２２に対応してその裏側に配置された後述の遊技情報表示装置が使用されており、特別図柄始動手段１４が遊技球を検出したときに、各特別図柄２３ａ〜２３ｃが演出画像２４と共に所定の変動パターンで所定時間変動して停止するようになっている。なお、変動後の各特別図柄２３ａ〜２３ｃは左、右、中等の所定の順序で停止する。演出画像２４は斜線で示す。表示ケース２１は遊技盤３の前面にその開口３ａに対応してネジ、圧入等により着脱自在に装着されている。
【００１８】
普通図柄表示手段１３は１個又は複数個、例えば１個の普通図柄を変動可能に表示するためのもので、表示ケース２１の上部側の庇部２０等に設けられ、普通図柄始動手段１５が遊技球を検出したときに、その普通図柄が所定時間変動して停止するようになっている。なお、特別図柄２３ａ〜２３ｃ、普通図柄には０〜９までの１０種類の数字図柄が使用されている。
【００１９】
特別図柄始動手段１４は開閉自在な左右一対の開閉爪１４ａを備えた電動チューリップ等から成り、普通図柄表示手段１３の変動後の普通図柄が所定の当たり図柄で停止したときに、所定時間開放して遊技球が入球し易くなるように構成されている。普通図柄始動手段１５は通過ゲート等によって構成されている。
【００２０】
可変入賞手段１６は大当たり用であって、下部側の横軸により開閉自在に枢支された開閉板１６ａを備え、特別図柄表示手段１２の変動後の特別図柄２３ａ〜２３ｃが所定の大当たり図柄又は大当たり図柄の組み合わせで停止したときに、開閉板１６ａが前側に開放するようになっている。可変入賞手段１６にはその内部に特定領域１６ｂが設けられており、大当たり動作中に入賞した遊技球が特定領域１６ｂを通過することを条件に、大当たり動作の終了後に開閉板１６ａを開放する大当たり動作を最大所定回数継続するようになっている。
【００２１】
遊技情報表示装置は、図４〜図１２に示すように、リール部２６ａ，２６ｂに演出画像（遊技情報）２５ａ，２５ｂが表示され且つその左右方向（軸心方向）に所定の間隔を置いて配置された左右（軸心方向）に一対の回転リール２７ａ，２７ｂと、各回転リール２７ａ，２７ｂをその軸心廻りに回転駆動する左右に一対の駆動手段としての駆動モータ２８ａ，２８ｂと、両回転リール２７ａ，２７ｂ間でそのリール部２６ａ，２６ｂ内の前後方向の略中央部に配置され且つ特別図柄２３ａ〜２３ｃ、演出画像２４等の遊技情報を変動表示可能な電気的画像表示手段としての液晶表示手段２９と、前面側の開口部３０内に各回転リール２７ａ，２７ｂ、液晶表示手段２９が配置され且つ各回転リール２７ａ，２７ｂ、駆動モータ２８ａ，２８ｂ及び液晶表示手段２９を支持する支持ケース３１と、液晶表示手段２９の外周部に対応して配置され且つその前面側に近接して支持ケース３１に固定された前枠体３２と、両回転リール２７ａ，２７ｂ及び液晶表示手段２９に対応する表示窓３３を有し且つ支持ケース３１の前側に装着された前カバー３４とを備えている。
【００２２】
各回転リール２７ａ，２７ｂは、演出画像２５ａ，２５ｂが表示されたリール部２６ａ，２６ｂと、このリール部２６ａ，２６ｂを左右方向の外端側で片持ち状に支持する支持部としてのホーク部３５と、このホーク部３５の中央に形成されたハブ部３６とを備え、ハブ部３６が駆動モータ２８ａ，２８ｂの回転軸５６の内端にネジ等で固定されている。ホーク部３５はハブ部３６から十字状等の放射状に延び、その外周にリング部３７が一体に設けられている。リール部２６ａ，２６ｂはリング部３７と、周方向に略等間隔を置いて配置され且つリング部３７から左右方向の内側に一体に突出する複数の骨部３８，３９と、これらリング部３７及び骨部３８，３９に跨がって周方向に巻き付けられたシート体４０とを備え、周方向の一部に、液晶表示手段２９の特別図柄２３ａ〜２３ｃ、演出画像２４等の遊技情報を視認可能な視認部４１ａ，４１ｂが切欠き形成されている。骨部３８，３９には左右方向の長さが異なる長短二種類があり、周方向に隣接する長い骨部３８間に視認部４１ａ，４１ｂが設けられている。
【００２３】
図３の概略展開図に示すように、視認部４１ａ，４１ｂの左右幅Ｗは回転リール２７ａ，２７ｂのリール部２６ａ，２６ｂ間の間隔Ｓと略同じであり、視認部４１ａ，４１ｂの回転方向の長さは液晶表示手段２９の回転方向の表示幅Ｌと略同じであって、全体として回転方向に長い矩形状に形成されている。そして、リール部２６ａ，２６ｂには視認部４１ａ，４１ｂを１コマとする整数倍分の遊技情報が周方向に等間隔を置いて表示されている。なお、シート体４０は所定の保形性を有し且つ光の照射により明るくなる光輝性を有する半透明な合成樹脂シート材等からなり、このシート体４０に演出画像（遊技情報）２５ａ，２５ｂが３コマ分表示されている。ホーク部３５には回転リール２７ａ，２７ｂの位置検出用の被検出突起４２が左右方向の外側へと突設されている。
【００２４】
液晶表示手段２９は横長矩形状であって、回転リール２７ａ，２７ｂのリール部２６ａ，２６ｂの前後方向の略中央に略鉛直方向に配置され、裏側の取り付け板４３を介して支持ケース３１に着脱自在に固定されている。取り付け板４３は液晶表示手段２９の裏側に所定の隙間をおいて配置され、液晶表示手段２９はその外周側の矩形状の保持枠部４４と取り付け板４３との間に介在された複数本のボス４４ａを介して裏側からネジ等により取り付け板４３に着脱自在に固定されている。液晶表示手段２９の裏側には中継基板４５が設けられ、この中継基板４５に接続されたハーネス４６は取り付け板４３の開口４７を介して裏側へと引き出されて、外部の制御装置（図示省略）に接続されている。
【００２５】
支持ケース３１は横長矩形状の開口部３０を有する横長状であって、左右方向に長い上・下壁部４８，４９及びその両者間の後壁部５０が一体に形成されたケース本体５１と、このケース本体５１の左右両端にネジ等により装着された左右一対の側壁部５２とを備え、上・下壁部４８，４９の前端部に遊技盤３に対する取り付け片５３，５４が設けられ、前カバー３４が遊技盤３の開口３ａに嵌合して、その表示窓３３が表示ケース２１の開口窓２２と一致するように、各取り付け片５３，５４を介して遊技盤３の裏側にネジ等により着脱自在に固定されている。
【００２６】
支持ケース３１の後壁部５０には、左右方向の中央部に液晶表示手段２９と略平行な偏平部５０ａが設けられると共に、この偏平部５０ａの左右両側に各回転リール２７ａ，２７ｂに対応して後方へと円弧状に突出する突出部５０ｂが設けられており、その各突出部５０ｂの内部側が各回転リール２７ａ，２７ｂを回転自在に収容する一対のリール収容部となっている。偏平部５０ａと液晶表示手段２９の取り付け板４３との間には所定の間隔があり、液晶表示手段２９のハーネス４６がその隙間を経て偏平部５０ａの開口５０ｃから支持ケース３１の裏側へと引き出されている。
【００２７】
ケース本体５１にはその上・下壁部４８，４９の内側に液晶表示手段２９用の取り付け部２９ａと前枠体３２用の取り付け部３２ａと前カバー３４用の取り付け部３４ａとが設けられている。液晶表示手段２９用の取り付け部２９ａは上・下壁部４８，４９の後端部で回転リール２７ａ，２７ｂ間の中央部に上下に相対応して設けられ、この取り付け部２９ａに取り付け板４３の左右中央部に突設された上下一対の取り付け片４３ａが前側からネジ等により着脱自在に固定されている。
【００２８】
前枠体３２用の取り付け部３２ａは液晶表示手段２９用の取り付け部２９ａよりも前側で左右中央部に設けられている。前カバー３４用の上下の取り付け部３４ａの内、その上側の取り付け部３４ａは前枠体３２用の取り付け部３２ａよりも前側で上壁部４８の前端側に、下側の取り付け部３４ａは前枠体３２用の取り付け部３２ａよりも若干前側に左右方向に設けられている。
【００２９】
各側壁部５２は、ケース本体５１の両端形状に対応する略半円状であって、その中央部分に外側へと凹入し且つ前側が開放状の凹部５２ａが形成され、この凹部５２ａ内に回転リール２７ａ，２７ｂ用の駆動モータ２８ａ，２８ｂと駆動基板５５とが前後に設けれられている。駆動モータ２８ａ，２８ｂは左右方向の厚さが凹部５２ａの深さ内に略収まる程度の偏平なステッピングモータ等が使用されており、左右方向の内側、即ち液晶表示手段２９側へと突出する回転軸５６を有し、凹部５２ａ内でネジにより側壁部５２に着脱自在に固定されている。
【００３０】
駆動基板５５は駆動モータ２８ａ，２８ｂを駆動するためのもので、回転リール２７ａ，２７ｂ側の被検出突起４２を介して回転リール２７ａ，２７ｂの回転位置を検出する検出手段６７が内側に突出して取り付けられている。駆動基板５５はハーネス５７を介して駆動モータ２８ａ，２８ｂに接続されると共に、ハーネス５８を介して外部の制御装置（図示省略）に接続されている。
【００３１】
なお、検出手段６７は被検出突起４２の通過により遮光されるフォトセンサ等により構成されている。駆動モータ２８ａ，２８ｂと駆動基板５５とを接続するハーネス５７は、凹部５２ａ内で弛みが生じないように中間部分が凹部５２ａの後部側の開口５２ｂを経て外部に引き出されており、またハーネス５８も開口５２ｂから引き出されている。
【００３２】
前枠体３２は液晶表示手段２９の外周側の保持枠部４４に対応する横長矩形状であって、この前枠体３２の縦枠部３２ｂの左右両端には、液晶表示手段２９の前側で回転リール２７ａ，２７ｂ側のホーク部３５をその内側から覆う半円状の前側板５９が設けられ、また上下の横枠部３２ｃには、各回転リール２７ａ，２７ｂのリール部２６ａ，２６ｂを内側から照明する上下一対の照明手段６０ａ，６０ｂが設けられている。前側板５９の前側周縁は回転リール２７ａ，２７ｂのリール部２６ａ，２６ｂの内周に近接している。
【００３３】
横枠部３２ｃにはその両端部に照明手段６０ａ，６０ｂの取り付け部６１が凹入状に設けられ、また両取り付け部６１間に、照明手段６０ａ，６０ｂを上下方向の内側から覆うカバー部６２が設けられている。照明手段６０ａ，６０ｂは左右方向の帯び板状の基板６３と、この基板６３の左右両端部に各回転リール２７ａ，２７ｂのリール部２６ａ，２６ｂに対応して左右方向に所定間隔を置いて装着された複数の発光体６４と、基板６３の両端部に左右方向の外側から着脱自在に套嵌され且つ発光体６４を覆うカバー体６５とを備え、その各カバー体６５の端部側が取り付け部６１でネジ６１ａ等により着脱自在に固定されている。各カバー体６５には発光体６４の光をリール部２６ａ，２６ｂの内側に集光するレンズ部６５ａが左右方向に長く形成されている。
【００３４】
前枠体３２の横枠部３２ｃには、左右方向の中央に上下方向の外側に突出する取り付け片３２ｄが設けられ、この取り付け片３２ｄが支持ケース３１側の前枠体３２用の取り付け部３２ａに前側からネジ等により着脱自在に取り付けられている。なお、基板６３には両回転リール２７ａ，２７ｂ間の中央部分にハーネス６６が接続され、そのハーネス６６はケース本体５１の上・下壁部４８，４９側の開口を経て支持ケース３１の外側へと引き出されている。
【００３５】
前カバー３４は回転リール２７ａ，２７ｂのリール部２６ａ，２６ｂに沿った円弧状であり、横長矩形状の表示窓３３が形成されると共に、上下両端に取り付け片３４ｂが夫々設けられ、回転リール２７ａ，２７ｂのホーク部３５、前枠体３２の前側板５９、上下のカバー部６２等を覆うように、その各取り付け片３４ｂが支持ケース３１側の取り付け部３４ａに前側からネジ等により着脱自在に取り付けられている。
【００３６】
液晶表示手段２９の左右両端側には、液晶表示手段２９、取り付け板４３及び前枠体３２とその外側のケース本体５１との間に、回転リール２７ａ，２７ｂのリール部２６ａ，２６ｂを回転自在に配置する所定の空間が設けられ、また支持ケース３１の側壁部５２と前枠体３２の前側板５９との間に、回転リール２７ａ，２７ｂのホーク部３５を回転自在に配置する所定の空間が設けられている。
【００３７】
例えば河童を主題とするパチンコ機の場合には、遊技盤３の前面にその主題に応じた絵が印刷されている。そして、液晶表示手段２９には３個の特別図柄２３ａ〜２３ｃの背景の演出画像２４（図３の斜線部分）にも河童を主題とした各種の動画が使用されている。また各回転リール２７ａ，２７ｂのリール部２６ａ，２６ｂの３コマの演出画像（遊技情報）２５ａ，２５ｂには、例えば図３に示すように表情その他の異なる河童図柄Ｖ１〜Ｖ３が使用されている。
【００３８】
図１３は制御系のブロック図を示す。図１３において、７５は遊技盤３側の特別図柄始動手段１４、普通図柄始動手段１５、可変入賞手段１６、普通入賞手段１７〜１９等の遊技部品による遊技動作を制御する主制御手段で、普通図柄始動手段１５が遊技球を検出した場合に乱数を抽選して当たりか否かを判定する機能、その判定結果が当たりの場合に普通図柄の停止後に特別図柄始動手段１４を開放させる機能、特別図柄始動手段１４が遊技球を検出した場合に乱数を抽選して大当たりか否かを判定する機能、その判定結果が大当たりの場合に可変入賞手段１６が開放する大当たり動作を制御する機能、当たりか否かの判定結果に応じて普通図柄用の変動制御コマンドを送信する機能、大当たりか否かの判定結果に応じて特別図柄２３ａ〜２３ｃの変動パターン、停止図柄の種類等を決定してその変動制御コマンド（変動パターンコマンド、停止図柄コマンド、停止コマンド等）を送信する機能等を備えている。
【００３９】
７６は図柄制御基板で、この図柄制御基板７６には普通図柄制御手段７７、特別図柄制御手段７８、回転リール制御手段７９等が設けられている。普通図柄制御手段７７は普通図柄用の変動制御コマンドを受信して普通図柄表示手段１３の普通図柄を所定時間変動させると共に、変動後にその普通図柄を変動制御コマンドの指令に従って所定の停止図柄で停止させるようになっている。
【００４０】
特別図柄制御手段７８は特別図柄２３ａ〜２３ｃ用の変動パターンコマンドを受信して液晶表示手段２９の特別図柄２３ａ〜２３ｃを所定の変動パターンで所定時間変動させて、変動後の特別図柄２３ａ〜２３ｃを判定結果に応じて大当たり図柄又は外れ図柄で停止させる機能、そのときの特別図柄２３ａ〜２３ｃの変動パターンコマンドに応じてその背景図柄である演出画像を制御する機能、特別図柄２３ａ〜２３ｃの変動パターンがリーチ動作（１個を除く他の特別図柄２３ａ〜２３ｃが大当たり図柄と同種の図柄で停止した場合の変動動作）を含む場合に、そのリーチ動作に応じたリール制御コマンドを回転リール制御手段７９に送信する機能等を備えている。
【００４１】
回転リール制御手段７９はリール制御コマンドを解析して何れかのリール制御パターンを選択する機能と、その選択されたリール制御パターンで各回転リール２７ａ，２７ｂを回転し停止させる機能、回転後の回転リール２７ａ，２７ｂを視認部４１ａ，４１ｂが液晶表示手段２９に対応するように原点位置に戻す機能、回転リール２７ａ，２７ｂの何れかのコマの河童図柄Ｖ１〜Ｖ３が表示窓３３に対応して停止したとき等、所定のタイミングで照明手段６０ａ，６０ｂを連続的又は間欠的に点灯させる機能等を有する。
【００４２】
なお、リール制御パターンは回転リール２７ａ，２７ｂの回転速度、表示窓３３に対応させて停止すべきコマ又は遊技情報、そのコマでの停止時間等を組み合わせて構成されており、表示窓３３に停止表示される各リール部２６ａ，２６ｂの遊技情報の種類及び組み合わせによって、変動後の特別図柄２３ａ〜２３ｃが大当たり図柄又は大当たり図柄の組み合わせとなる信頼度の違い、信頼度の高低等を間接的に演出する。
【００４３】
遊技に際しては、発射手段８の発射ハンドル９を操作して、発射手段８により遊技球をガイドレール１０に沿って順次遊技盤３側に発射させる。すると遊技盤３の上部側に発射された遊技球は、遊技盤３の遊技領域１１に入った後、その盤面に沿って落下する間に普通入賞手段１７〜１９又は特別図柄始動手段１４に入賞するか、普通図柄始動手段１５を通過しながら下方へと落下する。
【００４４】
普通図柄始動手段１５が遊技球を検出すると、主制御手段７５側においてその検出時に乱数を抽選して当たりか否かを判定し、その判定結果を普通図柄制御手段７７へとコマンド送信して、普通図柄制御手段７７の制御により普通図柄表示手段１３の普通図柄を所定時間変動させる。そして、判定結果が当たりであれば、変動後の普通図柄が当たり図柄で停止した後に、特別図柄始動手段１４が所定時間開放して遊技球が入賞し易くなる。
【００４５】
特別図柄始動手段１４が遊技球を検出すると、主制御手段７５側においてその検出時に乱数を抽選して大当たりか否かを判定し、その判定結果に基づいて変動パターンコマンド、停止図柄コマンド等を特別図柄制御手段７８へとコマンド送信して、特別図柄制御手段７８の制御により特別図柄表示手段１２の特別図柄２３ａ〜２３ｃを所定時間変動させる。そして、判定結果が大当たりであれば、特別図柄２３ａ〜２３ｃは所定の変動パターンで変動した後に所定の大当たり図柄又は大当たり図柄の組み合わせで停止し、可変入賞手段１６を開放させる大当たり動作に移行する。
【００４６】
各回転リール２７ａ，２７ｂは通常その視認部４１ａ，４１ｂが表示窓３３に対応して停止状態にある。そして、特別図柄制御手段７８に送信される変動パターンが大当たり変動パターンの他、変動後の特別図柄２３ａ〜２３ｃが大当たり図柄又は大当たり図柄の組み合わせとなる可能性のあるリーチ変動パターンの内、その一部又は全てのリーチ変動パターンの場合に、特別図柄制御手段７８から回転リール制御手段７９へと所定のリール制御コマンドを送信する。
【００４７】
例えば変動後の特別図柄２３ａ〜２３ｃが大当たり図柄の組み合わせである「７・７・７」となる場合には、特別図柄２３ａ〜２３ｃの変動中に、図３に示すように、中の特別図柄２３ｃを除く左右の特別図柄２３ａ，２３ｂが同種の図柄「７」で停止するリーチ状態になると、回転リール制御手段７９の制御により各回転リール２７ａ，２７ｂが左、右等の所定の順序又は同時に回転する。このとき中の特別図柄２３ｃは、波線矢印で示すように変動中である。
【００４８】
そして、大当たりの場合には回転リール制御手段７９側で河童図柄Ｖ３を選択し、回転リール２７ａ，２７ｂが１回〜数回回転してから、中の特別図柄２３ｃが停止する前に河童図柄Ｖ３が表示窓３３に対応するように回転リール２７ａ，２７ｂが停止し、「７」を停止表示中の特別図柄２３ａ，２３ｂを各回転リール２７ａ，２７ｂのリール部２６ａ，２６ｂにより覆い隠すと共に、そのリール部２６ａ，２６ｂの河童図柄Ｖ３の表示により、変動後の特別図柄２３ａ〜２３ｃが大当たり図柄又は大当たり図柄の組み合わせとなる可能性が大であることを演出する。このとき照明手段６０ａ，６０ｂが点灯してリール部２６ａ，２６ｂを内周側から照明して、その河童図柄Ｖ３を明るく表示する。
【００４９】
河童図柄Ｖ３を表示した状態で所定時間が経過すると、各回転リール２７ａ，２７ｂが所定順序又は同時に再度回転し、その視認部４１ａ，４１ｂが表示窓３３に対応するように停止する。このため「７」で停止表示中の特別図柄２３ａ，２３ｂが見える状態となる。その後、中の特別図柄２３ｃが「７」で停止して、変動後の特別図柄２３ａ〜２３ｃが大当たり図柄の組み合わせを表示する。
【００５０】
なお、この実施例では、左右の特別図柄２３ａ，２３ｂがリーチ状態となった後に回転リール２７ａ，２７ｂを回転させて、その左右の特別図柄２３ａ，２３ｂをリール部２６ａ，２６ｂで覆い隠すようにしているが、左右の各特別図柄２３ａ，２３ｂが停止状態になる前に回転リール２７ａ，２７ｂを回転させる等、回転リール２７ａ，２７ｂの回転パターンは演出効果が向上するように決定すれば良い。
【００５１】
このような構成の遊技情報表示装置では、次のような利点がある。即ち、各回転リール２７ａ，２７ｂに対して液晶表示手段２９と反対の外側に駆動モータ２８ａ，２８ｂを設け、液晶表示手段２９を各回転リール２７ａ，２７ｂのリール部２６ａ，２６ｂの前後方向の略中央部に配置しているため、各リール部２６ａ，２６ｂの視認部４１ａ，４１ｂ及び液晶表示手段２９の表示領域を表示窓３３の大きさに合わせることができ、液晶表示手段２９の上下方向の表示領域を大きく取ることができる。特に各回転リール２７ａ，２７ｂのリール部２６ａ，２６ｂの周方向の少なくとも一部の視認部４１ａ，４１ｂを、液晶表示手段２９の上下方向の表示幅と略同じ大きさとすることにより、液晶表示手段２９の上下方向の表示幅を最大限に活用することができる。
【００５２】
また液晶表示手段２９の前側に、各回転リール２７ａ，２７ｂのホーク部３５を内側から覆う前側板５９があるため、液晶表示手段２９がリール部２６ａ，２６ｂの前後方向の略中央部まで後退しているにも拘らず、回転リール２７ａ，２７ｂのホーク部３５が露出するようなこともない。しかも液晶表示手段２９の上下両側等、液晶表示手段２９に対して各回転リール２７ａ，２７ｂの回転方向の両側にリール部２６ａ，２６ｂを内側から照明する照明手段６０ａ，６０ｂを設けているので、リール部２６ａ，２６ｂに表示された河童図柄等の遊技情報を裏側から照明でき、回転リール２７ａ，２７ｂの遊技情報による演出効果を更に向上させることができる。
【００５３】
液晶表示手段２９の前側にその外周部に対応する矩形状の前枠体３２があり、この前枠体３２の各回転リール２７ａ，２７ｂ側の縦枠部３２ｂに前側板５９を、回転リール２７ａ，２７ｂの回転方向の両側の横枠部３２ｃに照明手段６０ａ，６０ｂを夫々設けることにより、液晶表示手段２９の前側に前側板５９、照明手段６０ａ，６０ｂを簡単な構造で容易に配置することができる。
【００５４】
前面側の開口部３０内に各回転リール２７ａ，２７ｂ及び液晶表示手段２９が配置された支持ケース３１を備え、この支持ケース３１の両回転リール２７ａ，２７ｂ間の中央部に液晶表示手段２９を取り付ける取り付け部２９ａを設けているので、支持ケース３１により内部機構を保護できると共に、その取り付け部２９ａが回転リール２７ａ，２７ｂの回転の邪魔になるようなことも防止できる。更に支持ケース３１はケース本体５１と、このケース本体５１に軸心方向の両側から着脱自在に装着された一対の側壁部５２とを備え、この各側壁部５２の軸心方向の外側に凹入する凹部５２ａ内に、軸心方向の内側に突出する回転軸５６を備えた偏平な駆動モータ２８ａ，２８ｂを設けているため、両回転リール２７ａ，２７ｂのリール部２６ａ，２６ｂ内に液晶表示手段２９があるにも拘わらず組み立て作業を容易にでき、また全体を小型化することができる。
【００５５】
図１４、図１５は本発明の第２の実施例を例示し、この実施例では支持ケース３１の開口部３０側に、各リール部２６ａ，２６ｂのホーク部３５と反対側を外周側から回転方向に案内する案内ローラ８２が設けられている。このように案内ローラ８２により回転リール２７ａ，２７ｂを案内するようにしても良い。なお、回転リール２７ａ，２７ｂのリール部２６ａ，２６ｂには、複数の骨部３８の先端を周方向に連結するＣ字状の連結部８４が設けられ、この連結部８４に対応してリール部２６ａ，２６ｂの外周側に案内ローラ８２が設けられている。案内ローラ８２は回転リール２７ａ，２７ｂの回転軸５６心と平行な支軸８３により回転自在に支持され、また支軸８３は支持ケース３１に固定されている。
【００５６】
以上、本発明の各実施例について詳述したが、本発明は各実施例に限定されるものではない。例えば、実施例では液晶表示手段２９に回転リール２７ａ，２７ｂの軸心方向に３個の特別図柄２３ａ〜２３ｃを表示し、その左右の特別図柄２３ａ〜２３ｃに対応して各回転リール２７ａ，２７ｂを設けて、回転リール２７ａ，２７ｂ間に１個の特別図柄２３ｃ分の隙間を置いているが、各回転リール２７ａ，２７ｂの端部同士を軸心方向に近接させて配置しても良い。
【００５７】
また実施例では液晶表示手段２９を横長状とし、この液晶表示手段２９の左右両側に各回転リール２７ａ，２７ｂを配置して、各回転リール２７ａ，２７ｂが横方向の軸心廻りに回転するようにしているが、各回転リール２７ａ，２７ｂを液晶表示手段２９の上下両側に配置して、各回転リール２７ａ，２７ｂが縦方向の軸心廻りに回転するようにしても良い。回転リール２７ａ，２７ｂは、リール部２６ａ，２６ｂを支持する支持部にホーク部３５以外の構造を採用する等、実施例以外のものを使用しても良い。
【００５８】
回転リールは１個でも良い。その場合、例えば液晶表示手段２９の長手方向の一方側に回転リール２７ａ又は回転リール２７ｂを設けても良い。また液晶表示手段２９の表示領域と略同じ大きさの視認部を有する回転リールを１個設け、その視認部を経て液晶表示手段２９側の１個又は複数個の主遊技情報を視認できるようにしても良い。
【００５９】
回転リール２７ａ，２７ｂのリール部２６ａ，２６ｂの視認部４１ａ，４１ｂは切欠き状に形成する他、リール部２６ａ，２６ｂの全体又は視認部４１ａ，４１ｂを透明体により構成しても良い。照明手段６０ａ，６０ｂは液晶表示手段２９に対して回転リール２７ａ，２７ｂの回転方向の両側に配置することが望ましいが、何れか一方でも良い。液晶表示手段２９に代替してＣＲＴその他の電気的表示手段を採用しても良い。なお、電気的表示手段は動画像を表示できるものの方が好ましいが、７セグメント式、ドット式等の表示手段でも良い。
【００６０】
回転リール２７ａ，２７ｂのリール部２６ａ，２６ｂに表示する遊技情報は、演出用でも良いし、抽選用でも良い。遊技情報表示装置は、パチンコ機の特別図柄表示手段１２以外のものに利用しても良い。また遊技機としては、パチンコ機以外のアレンジボール機、雀球機等の弾球遊技機でも良いし、回胴式遊技機でも良い。
【図面の簡単な説明】
【００６１】
【図１】本発明の第１の実施例を示すパチンコ機の正面図である。
【図２】本発明の第１の実施例を示す遊技盤の正面図である。
【図３】本発明の第１の実施例を示す特別図柄表示手段の展開説明図である。
【図４】本発明の第１の実施例を示す遊技情報表示装置の分解斜視図である。
【図５】本発明の第１の実施例を示す遊技情報表示装置の一部破断正面図である。
【図６】本発明の第１の実施例を示す遊技情報表示装置の一部破断正面図である。
【図７】本発明の第１の実施例を示す遊技情報表示装置の側面図である。
【図８】本発明の第１の実施例を示す遊技情報表示装置の側面断面図である。
【図９】本発明の第１の実施例を示す遊技情報表示装置の側面断面図である。
【図１０】本発明の第１の実施例を示す照明手段の一部破断正面図である。
【図１１】本発明の第１の実施例を示す照明手段の側面断面図である。
【図１２】本発明の第１の実施例を示す照明手段の側面断面図である。
【図１３】本発明の第１の実施例を示す制御系のブロック図である。
【図１４】本発明の第２の実施例を示す遊技情報表示装置の側面断面図である。
【図１５】本発明の第２の実施例を示す回転リールの斜視図である。
【符号の説明】
【００６２】
２６ａ，２６ｂ  リール部
２７ａ，２７ｂ  回転リール
２８ａ，２８ｂ  駆動手段（駆動モータ）
２９  電気的表示手段
２９ａ  取り付け部
３０  開口部
３１  支持ケース
３２  前枠体
３３  表示窓
３４  前カバー
３５  支持部
４１ａ，４１ｂ  視認部
５１  ケース本体
５２  側壁部
５２ａ  凹部
５６  回転軸
５９  前側板
６０ａ，６０ｂ  照明手段
【図１】
2005323663.tif 000003
【図２】
2005323663.tif 000004
【図３】
2005323663.tif 000005
【図４】
2005323663.tif 000006
【図５】
2005323663.tif 000007
【図６】
2005323663.tif 000008
【図７】
2005323663.tif 000009
【図８】
2005323663.tif 000010
【図９】
2005323663.tif 000011
【図１０】
2005323663.tif 000012
【図１１】
2005323663.tif 000013
【図１２】
2005323663.tif 000014
【図１３】
2005323663.tif 000015
【図１４】
2005323663.tif 000016
【図１５】
2005323663.tif 000017